(57)【特許請求の範囲】
【請求項１】
前胴回り域と、後胴回り域と、前記前胴回り域と前記後胴回り域との間に位置する股下域と有し、
一対の脚回り開口部が形成されると共に、
前記股下域を跨ぎ前記前胴回り域及び前記後胴回り域の少なくとも一方に向かって延びる吸収体を備え、
前記前胴回り域から前記後胴回り域に向かう製品長手方向と、前記製品長手方向と直交する製品幅方向とを有する使い捨ておむつであって、
前記前胴回り域及び前記後胴回り域において、前記製品幅方向に沿って延び、前記使い捨ておむつを着用者の身体に保持するように構成されている胴回り保持部と、
前記股下域に形成され、少なくとも前記製品長手方向に伸縮可能なクロッチ伸縮部と、
前記吸収体に形成され、製品幅方向に沿って延びて前記使い捨ておむつの曲げ基点となる第１変曲部と、
前記吸収体に形成され、製品幅方向に沿って延びて前記使い捨ておむつの曲げ基点となるとともに、前記第１変曲部よりも前記後胴回り部寄りに位置する第２変曲部と、を備え、
前記クロッチ伸縮部は、前記使い捨ておむつの前記製品幅方向の中心線を跨いで、少なくとも前記吸収体が配置されている領域と重なるように配置されており、
前記クロッチ伸縮部は、前記胴回り保持部と交差することなく前記胴回り保持部から離れて設けられており、
前記吸収体よりも前記使い捨ておむつの肌当接面側に、液透過性のトップシートが備えられており、
前記トップシートと前記吸収体との間に、前記トップシートよりも嵩高な液透過性のセカンドシートが備えられており、
前記セカンドシートは、前記クロッチ伸縮部が配置されている領域に重なるように配置されており、
前記クロッチ伸縮部は、伸縮性シートによって構成されており、
前記クロッチ伸縮部の伸縮率は、１．２倍以上、１．８倍以下であり、
前記クロッチ伸縮部の製品幅方向における長さは、前記クロッチ伸縮部が存在する領域内の前記吸収体を構成する吸収性コアの製品幅方向における長さの１/２以上であることを特徴とする使い捨ておむつ。
【請求項２】
前胴回り域と、後胴回り域と、前記前胴回り域と前記後胴回り域との間に位置する股下域と有し、
一対の脚回り開口部が形成されると共に、
前記股下域を跨ぎ前記前胴回り域及び前記後胴回り域の少なくとも一方に向かって延びる吸収体を備え、
前記前胴回り域から前記後胴回り域に向かう製品長手方向と、前記製品長手方向と直交する製品幅方向とを有する使い捨ておむつであって、
前記前胴回り域及び前記後胴回り域において、前記製品幅方向に沿って延び、前記使い捨ておむつを着用者の身体に保持するように構成されている胴回り保持部と、
前記股下域に形成され、少なくとも前記製品長手方向に伸縮可能なクロッチ伸縮部と、
前記吸収体に形成され、製品幅方向に沿って延びて前記使い捨ておむつの曲げ基点となる第１変曲部と、
前記吸収体に形成され、製品幅方向に沿って延びて前記使い捨ておむつの曲げ基点となるとともに、前記第１変曲部よりも前記後胴回り部寄りに位置する第２変曲部と、を備え、
前記クロッチ伸縮部は、前記使い捨ておむつの前記製品幅方向の中心線を跨いで、少なくとも前記吸収体が配置されている領域と重なるように配置されており、
前記クロッチ伸縮部は、前記胴回り保持部と交差することなく前記胴回り保持部から離れて設けられており、
前記吸収体よりも前記使い捨ておむつの肌当接面側に、液透過性のトップシートが備えられており、
前記トップシートと前記吸収体との間に、前記トップシートよりも嵩高な液透過性のセカンドシートが備えられており、
前記セカンドシートは、前記クロッチ伸縮部が配置されている領域に重なるように配置されており、
前記クロッチ伸縮部は、糸状又は帯状の弾性部材によって構成されており、
前記弾性部材同士の間隔は、７ｍｍ以下であり、
前記クロッチ伸縮部の伸縮率は、１．２倍以上、１．８倍以下であり、
前記クロッチ伸縮部の製品幅方向における長さは、前記クロッチ伸縮部が存在する領域内の前記吸収体を構成する吸収性コアの製品幅方向における長さの１/２以上であることを特徴とする使い捨ておむつ。
【請求項３】
前記第１変曲部及び前記第２変曲部は、前記クロッチ伸縮部の前記製品長手方向における縁部に沿って、前記吸収性コアの目付が他の領域よりも低い領域、或いは、前記吸収性コアが存在しない領域によって構成されていることを特徴とする請求項１又は請求項２に記載の使い捨ておむつ。
【請求項４】
前記クロッチ伸縮部を構成する前記伸縮性シートの幅入り率は、１０％以下であることを特徴とする請求項１に記載の使い捨ておむつ。
【請求項５】
前記セカンドシートは、前記製品長手方向において、前記クロッチ伸縮部の前記製品長手方向の端部を超えて延びるように構成されていることを特徴とする請求項１乃至４のいずれか一項に記載の使い捨ておむつ。
【請求項６】
前記クロッチ伸縮部は、前記吸収体の非肌当接面側に設けられており、
前記セカンドシートは、架橋セルロース繊維を含むことを特徴とする請求項１乃至５のいずれか一項に記載の使い捨ておむつ。
【請求項７】
前記製品長手方向における前記クロッチ伸縮部の中央位置における前記製品幅方向の自然状態の長さは、前記製品長手方向における前記クロッチ伸縮部の端部における前記製品幅方向の自然状態の長さよりも短くなるように構成されていることを特徴とする請求項１乃至６のいずれか一項に記載の使い捨ておむつ。
【請求項８】
前記吸収性コア中に含まれる繊維の重量比率は、２０％以下であることを特徴とする請求項１乃至７のいずれか一項に記載の使い捨ておむつ。
【発明の詳細な説明】
【技術分野】
【０００１】
本発明は、使い捨ておむつに関する。
【背景技術】
【０００２】
従来、前胴回り域と、後胴回り域と、前胴回り域と後胴回り域との間に位置する股下域とを有し、一対の脚回り開口部が形成されると共に、股下域を跨ぎ前胴回り域及び後胴回り域の少なくとも一方に向かって延びる吸収体を備えた使い捨ておむつが知られている。
【０００３】
かかる使い捨ておむつにおいて、排泄液を取り込み保持する能力を高めるために、吸収体とトップシートの間に、トップシートよりも嵩高な液透過性のセカンドシートを設ける技術が知られている。
【先行技術文献】
【特許文献】
【０００４】
【特許文献１】特開昭６１-１４１３６１号公報
【特許文献２】特開平５-２６１１２６号公報
【発明の概要】
【発明が解決しようとする課題】
【０００５】
図４（ａ）に、このようなセカンドシート５１が設けられている使い捨ておむつ１０が着用者に装着されている状態を示し、図４（ｂ）に、かかる使い捨ておむつ１０が着用者に装着されている状態におけるＣＴスキャンの結果を模式的に示す。
【０００６】
図４（ｂ）に示すように、かかる使い捨ておむつ１０は、着用者に装着されている状態では、着用者の股下部において、垂れ下がってしまう。
【０００７】
そのため、かかる使い捨ておむつ１０において、セカンドシート５１が設けられているにも関わらず、かかるセカンドシート５１が、折れ曲がって更に垂れ下がってしまうことにより、かかるセカンドシート５１において、着用者の排泄口から排泄される排泄液Ａを適切に取り込み保持しつつ拡散させることが不十分となってしまい、特に、排泄液Ａが多量の場合や、複数回排泄された後、更に排泄が行われた場合等には、多量の排泄液Ａが、着用者と使い捨ておむつ１０との間の空間に存在することになり、着用者の動きに応じて、使い捨ておむつ１０の外に漏れてしまうという状態になり易いという問題点があった。
【０００８】
そこで、本発明は、このような状況に鑑みてなされたものであり、吸収体とトップシートの間に設けられたセカンドシートの吸収保持機能及び拡散機能をより好ましく発現でき、その結果、着用者と使い捨ておむつとの間の空間に存在する排泄液の量を減らし、着用者の動きに起因する排泄液の外部への漏れを抑制することができる使い捨ておむつの提供を目的とする。
【課題を解決するための手段】
【０００９】
本発明の第１の特徴は、前胴回り域と、後胴回り域と、前記前胴回り域と前記後胴回り域との間に位置する股下域と有し、一対の脚回り開口部が形成されると共に、前記股下域を跨ぎ前記前胴回り域及び前記後胴回り域の少なくとも一方に向かって延びる吸収体を備え、前記前胴回り域から前記後胴回り域に向かう製品長手方向と、前記製品長手方向と直交する製品幅方向とを有する使い捨ておむつであって、前記前胴回り域及び前記後胴回り域において、前記製品幅方向に沿って延び、前記使い捨ておむつを着用者の身体に保持するように構成されている胴回り保持部と、前記股下域に形成され、少なくとも前記製品長手方向に伸縮可能なクロッチ伸縮部とを備え、前記クロッチ伸縮部は、前記使い捨ておむつの前記製品幅方向の中心線を跨いで、少なくとも前記吸収体が配置されている領域と重なるように配置されており、前記クロッチ伸縮部は、前記胴回り保持部と交差することなく前記胴回り保持部から独立して備えられ、前記吸収体よりも前記使い捨ておむつの肌当接面側に、液透過性のトップシートが備えられており、前記トップシートと前記吸収体との間に、前記トップシートよりも嵩高な液透過性のセカンドシートが備えられており、前記セカンドシートは、前記クロッチ伸縮部が配置されている領域に重なるように配置されていることを要旨とする。
【発明の効果】
【００１０】
本発明の特徴によれば、吸収体とトップシートの間に設けられたセカンドシートの吸収保持機能及び拡散機能をより好ましく発現でき、その結果、着用者と使い捨ておむつとの間の空間に存在する排泄液の量を減らし、着用者の動きに起因する排泄液の外部への漏れを抑制することができる使い捨ておむつを提供することができる。
【図面の簡単な説明】
【００１１】
【図１】本発明の実施形態に係る使い捨ておむつの展開平面図である。
【図２】図１に示すＦ-Ｆ線に沿った本実施形態に係る使い捨ておむつの断面図である。
【図３】本発明の実施形態に係る使い捨ておむつが着用者に装着されている状態を示す図である。
【図４】従来の使い捨ておむつが着用者に装着されている状態を示す図である。
【発明を実施するための形態】
【００１２】
図１乃至図３を参照して、本発明の第１の実施形態に係る使い捨ておむつ１０について説明する。
【００１３】
なお、以下の図面の記載において、同一又は類似の部分には、同一又は類似の符号を付している。ただし、図面は模式的なものであり、各寸法の比率等は現実のものとは異なることに留意すべきである。
【００１４】
したがって、具体的な寸法等は、以下の説明を参酌して判断すべきである。また、図面相互間においても互いの寸法の関係や比率が異なる部分が含まれ得る。
【００１５】
なお、本実施形態では、テープ型の使い捨ておむつ１０を例に挙げて説明を行うが、本発明は、パンツ型の使い捨ておむつ１０にも適用可能である。
【００１６】
図１は、本実施形態に係る使い捨ておむつ１０の展開平面図である。なお、図１に示す展開平面図は、使い捨ておむつ１０を構成するトップシート５０やサイドフラップ７０等の皺が形成されない状態まで、レッグ伸縮部７５及びレッグサイドギャザー８０を伸長させた状態の図であるが、説明の便宜上、レッグサイドギャザー８０を伸縮した状態で図示する。
【００１７】
図２は、図１に示したＦ-Ｆ線に沿った本実施形態に係る使い捨ておむつ１０の断面図であり、図３（ａ）は、本実施形態に係る使い捨ておむつ１０が着用者に装着されている状態を示す図であり、図３（ｂ）は、本実施形態に係る使い捨ておむつ１０が着用者に装着されている状態におけるＣＴスキャンの結果を模式的に示す図である。
【００１８】
図１に示すように、本実施形態に係る使い捨ておむつ１０は、前胴回り域２０と、股下域２５と、後胴回り域３０とを有する。また、使い捨ておむつ１０には、一対の脚回り開口部３５が形成されている。
【００１９】
ここで、前胴回り域２０は、着用者の前胴回り部と接する部分であり、後胴回り域３０は、着用者の後胴回り部と接する部分であり、股下域２５は、前胴回り域２０と後胴回り域３０との間に位置する部分である。
【００２０】
なお、本実施形態では、前胴回り域２０から後胴回り域３０に向かう方向を製品長手方向Ｌと呼び、製品長手方向Ｌと直交する方向を製品幅方向Ｗと呼ぶこととする。
【００２１】
ここで、股下域２５内に、クロッチ部２００が形成されており、クロッチ部２００よりも着用者の腹側の領域を、前胴回り領域２０と定義し、クロッチ部２００よりも着用者の背側の領域を、後前胴回り領域３０と定義とするものとする。
【００２２】
また、使い捨ておむつ１０には、一対の脚回り開口部３５が形成される。脚回り開口部３５は、使い捨ておむつ１０の製品幅方向Ｗの側端部に設けられており、使い捨ておむつ１０が着用者に着用された状態で、着用者の脚回りに沿って配置される部分である。
【００２３】
本実施形態に係る使い捨ておむつ１０は、股下域２５を跨ぎ、且つ、股下域２５から前胴回り域２０及び後胴回り域３０の少なくとも一方に向かって延びる吸収体４０を備える。
【００２４】
図２に示すように、吸収体４０は、吸収性コア４０ａとコアラップ４０ｂとによって構成されている。
【００２５】
吸収性コア４０ａは、従来の使い捨ておむつで用いられているものと同様であり、粉砕パルプや高吸収ポリマー等、公知の部材や材料を用いて、吸収性コア４０ａを適宜構成することができる。吸収性コア４０ａは、シート状のコアラップ４０ｂによって包まれている。
【００２６】
コアラップ４０ｂは、吸収性コア４０ａを被覆するシートである。コアラップ４０ｂの少なくとも肌当接面側Ｓ１の一部は、液透過性を有する各種の繊維不織布若しくはティッシュシートによって構成されている。
【００２７】
例えば、コアラップ４０ｂを構成する部材としては、質量約１０〜３０ｇ/ｍ２のエアスルー繊維不織布や、スパンボンド不織布や、ＳＭＳ（スパンボンド-メルトブロン-スパンボンド）不織布や、質量約１０〜３０ｇ/ｍ２のティッシュシートを用いることができる。
【００２８】
また、図２に示すように、吸収体４０の表面側（肌当接面側）Ｓ１には、液透過性のトップシート５０が備えられており、吸収体４０の裏面側（非肌当接面側）Ｓ２には、バックシート６０が備えられている。
【００２９】
さらに、図２に示すように、トップシート５０とバックシート６０との間に、液不透過性の防漏シート６１が備えられている。
【００３０】
また、トップシート５０と吸収体４０との間に、液透過性のセカンドシート５１が備えられている。セカンドシート５１は、トップシート５０よりも嵩高であることが好ましい。
【００３１】
ここで、セカンドシート５１やトップシート５０等の不織布の嵩について、以下のように測定することができる。
【００３２】
例えば、株式会社尾崎製作所社製のピーコックダイヤルシックネスゲージを用い、円形測定子の直径を４０ｍｍ、荷重を３.０ｇ/ｃｍ２となるように調整して、測定対象の不織布の嵩について測定を行うこともできる。
【００３３】
なお、測定対象の不織布のサイズが４０ｍｍ未満の場合には、円形測定子のサイズを変更し、荷重を３.０ｇ/ｃｍ２となるように調整して、測定対象の不織布の嵩について測定を行ってもよい。
【００３４】
ここで、セカンドシート５１は、架橋セルロース繊維を含むことが好ましい。架橋セルロース繊維は、（通常のセルロース繊維に比べて）繊維間の水素結合を作りにくい。排泄物の吸収時には、通常のセルロース繊維は、水素結合が失われてシートの嵩が失われる傾向にある。それに対して、架橋セルロース繊維を用いることで、そもそも繊維間の水素結合が少ないため、排泄物の吸収による嵩の変化を小さくでき、その結果、嵩が失われるという事態を防止することができる。
【００３５】
吸収体４０の製品幅方向Ｗにおける両側縁部には、サイドフラップ７０がそれぞれ備えられている。サイドフラップ７０は、１枚又は２枚以上の複数枚重ねた不織布によって構成されている。
【００３６】
また、図１に示すように、本実施形態に係る使い捨ておむつ１０は、後胴回り域３０において、一対のファスニングテープ９０を備えており、前胴回り域２０の非肌当接面側の所定領域において、ターゲットテープ９５を備えている。
【００３７】
ここで、ファスニングテープ９０が、ターゲットテープ９５に取り付けられることによって、使い捨ておむつ１０を着用者の身体に保持することができる。したがって、本実施形態において、前胴回り域２０と後胴回り域３０とファスニングテープ９０とターゲットテープ９５とによって、胴回り保持部１５０が構成される。
【００３８】
ここで、後胴回り域３０における胴回り保持部は、ファスニングテープ９０の係合部材が設けられた領域から製品幅方向Ｗに延びる範囲であり、前胴回り域２０における胴回り保持部は、ターゲット部９５が設けられた領域から製品幅方向Ｗに延びる範囲である。
【００３９】
また、図１に示すように、本実施形態に係る使い捨ておむつ１０は、股下域２５内においてクロッチ伸縮部２００ａを備えていてもよい。
【００４０】
具体的には、クロッチ伸縮部２００ａは、クロッチ部２００内に、より具体的には、股下域２５内において製品幅方向の中心を跨ぎ且つ吸収体４０が配置されている吸収体配置領域内に形成されている。なお、クロッチ伸縮部２００ａの構成については、後述にて詳細に説明する。
【００４１】
また、図１に示すように、吸収体４０の表面側（トップシート５０側）には、脚回り開口部３５に沿って形成され、少なくとも製品長手方向Ｌに伸縮可能な一対のレッグ伸縮部（レッグギャザー）７５が備えられている。
【００４２】
レッグ伸縮部７５は、製品長手方向Ｌにおいて、クロッチ伸縮部２００ａよりも長いと共に、製品幅方向Ｗにおいて、クロッチ伸縮部２００ａよりも外側に備えられている。
【００４３】
レッグ伸縮部７５は、脚回り開口部３５を製品長手方向Ｌに伸縮できるように構成されていればよく、脚回り開口部３５に沿って配置されていてもよいし、レッグ伸縮部７５の一部は、脚回り開口部３５に対して傾斜した状態で配置されていてもよい。
【００４４】
また、レッグ伸縮部７５は、伸縮性シート等によって実質的に製品長手方向Ｌに収縮する部分であり、収縮力が発揮されない状態で伸縮性シートが配置された部分を除く概念である。なお、レッグ伸縮部７５の構成については、後述にて詳細に説明する。
【００４５】
＜レッグサイドギャザー８０＞
また、図１に示すように、一対のレッグ伸縮部７５の内側（製品幅方向Ｗにおける中央寄り）には、製品長手方向Ｌに沿って延びる一対のレッグサイドギャザー８０が備えられていてもよい。
【００４６】
レッグサイドギャザー８０は、サイドフラップ７０の製品幅方向Ｗの内側端部に設けられており、レッグ伸縮部７５よりも製品幅方向Ｗの内側に配置される起立性の伸縮ギャザーである。
【００４７】
レッグサイドギャザー８０は、従来において周知の構成を採用することができ、具体的には、サイドフラップ７０と別のシート材によって構成されていてもよい。
【００４８】
サイドフラップ７０は、製品幅方向Ｗにおける内側端部においてトップシート５０側に折り返されており、２層に積層されている。
【００４９】
積層された状態のサイドフラップ７０の間に、製品長手方向Ｌに伸長された状態で、弾性部材７１が設けられている。サイドフラップ７０及び弾性部材７１によって、レッグサイドギャザー８０が形成される。
【００５０】
レッグサイドギャザー８０は、トップシート５０又はバックシート６０に接合される接合部分８１と、弾性部材７１が配置された自由端部分８２とを有する。
【００５１】
自由端部分８２のうち、股下域２５を含む製品長手方向Ｌの中央部分は、弾性部材７１によって製品長手方向Ｌに収縮し、収縮部８４を構成する。
【００５２】
レッグサイドギャザー８０は、使い捨ておむつ１０の着用時には、接合部分８１を基端部として立ち上がり、自由端部分８２の収縮部８４が頂点部として着用者の肌と接触する。すなわち、接合部分は、レッグサイド伸縮部の立ち上がりの基端部となる。
【００５３】
なお、収縮部８４は、弾性部材７１によって実質的に製品長手方向Ｌに収縮した部分であり、収縮力が発揮されない状態で弾性部材７１が配置された部分を除く概念である。
【００５４】
また、図１に、レッグサイドギャザー８０において、サイドフラップ７０とトップシート５０（又は、バックシート６０等）とが接合された接合部分８１に斜線を付して示す。
【００５５】
接合部分８１は、複数設けられており、第１接合部分８１Ａは、収縮部８４よりも製品長手方向Ｌの外側に配置されており、第２接合部分８１Ｂは、収縮部８４よりも製品幅方向Ｗの外側に配置されている。
【００５６】
よって、レッグサイドギャザー８０は、股下域２５を含む製品長手方向Ｌの中央部分が着用者側に立ち上がるように構成される。
【００５７】
レッグサイドギャザー８０の接合部分８１のうち、収縮部８４よりも製品長手方向Ｌの外側に配置されている第１接合部分８１Ａは、トップシート５０に接合される。
【００５８】
レッグサイドギャザー８０の接合部分８１のうち、収縮部８４よりも製品幅方向Ｗの外側に配置されている第２接合部分８１Ｂは、製品幅方向Ｗにおいて、クロッチ伸縮部２００ａとレッグ伸縮部７５との間に配置される。
【００５９】
第２接合部分８１Ｂは、製品長手方向Ｌの全長にてバックシート６０又は防漏シート６１に接合される。
【００６０】
なお、レッグサイドギャザー８０の接合部分８１は、種々の構成を採用できる。かかる接合部分８１は、例えば、製品長手方向Ｌに股下部２５から前胴回り域２０及び後胴回り域３０に延び、トップシート５０に接合される部分であってもよいし、吸収性コア４０ａよりも製品幅方向Ｗの外側において、バックシート６０や防漏シート６１に接合される部分であってもよく、起立の基端部となるように構成される。
【００６１】
また、レッグサイドギャザー８０は、レッグ伸縮部７５よりも製品幅方向Ｗの内側に配置される起立性のギャザーであればよく、上述の構成に限定されず、従来において周知のレッグサイドギャザー８０の構成を採用できることは勿論である。
【００６２】
＜ウェスト伸縮部（ウェストギャザー）１００＞
また、使い捨ておむつ１０は、後胴回り域３０に形成され、製品幅方向Ｗに伸縮可能なウェスト伸縮部１００を備えていてもよい。
【００６３】
具体的には、ウェスト伸縮部１００は、製品幅方向Ｗにおける一対のファスニングテープ９０の間に設けられており、ファスニングテープ９０の間を製品幅方向Ｗに収縮するように構成されている。
【００６４】
本実施形態において、ウェスト伸縮部１００は、伸縮性シートによって構成されている。ウェスト伸縮部１００を構成する部材については、特に限定されないが、出来る限り薄くて曲げ剛性が低く、幅入り率が小さいものを用いることが好ましい。
【００６５】
ここで、曲げ剛性を低い材料によってウェスト伸縮部１００を構成することにより、ウェスト伸縮部１００が、着用者の身体に沿って曲がりやすくなり、着用者の身体に負荷をかけずに、ウェスト伸縮部１００を着用者の身体に沿わせてフィットさせることができる。
【００６６】
また、幅入りが小さい材料によってウェスト伸縮部１００を構成することにより、使い捨ておむつ１０が製品幅方向Ｗに伸長した場合における使い捨ておむつ１０の製品長手方向Ｗの収縮を抑制し、着用者の腰回り（ウェスト）において、使い捨ておむつ１０が着用者の股下側に引き下がることを抑制できる。
【００６７】
本実施形態では、ウェスト伸縮部１００として、目付けが２０〜４５ｇ/ｍ２の伸縮性フィルムを用いた。
【００６８】
ウェスト伸縮部１００は、非伸長状態（自然状態）における長さの１.２５〜２.５倍に引き延ばされた後、ホットメルト接着剤又は加熱処理等によってバックシート６０（又は、防漏シート６１）に接着される。
【００６９】
本実施形態において、ウェスト伸縮部１００は、防漏シート６１とバックシート６０との間に配置されていてもよい。しかし、コアラップ４０ｂが吸収性コア４０ａよりも製品長手方向Ｌの外側に延出する構成にあっては、ウェスト伸縮部１００は、コアラップ４０ｂとバックシート６０（又は、防漏シート６１）との間に配置されていてもよい。
【００７０】
ウェスト伸縮部１００の位置は、特に限定されない。また、吸収体４０が配置されない領域にあっては、ウェスト伸縮部１００は、サイドフラップ７０とバックシート６０（又は、防漏シート６１）との間に配置されていてもよい。
【００７１】
なお、本実施形態に係るウェスト伸縮部１００は、製品幅方向Ｗに伸縮するように構成されているが、製品幅方向Ｗ及び製品長手方向Ｌの両方に伸縮するように構成されていてもよい。
【００７２】
＜吸収体４０における低剛性領域２１０＞
ここで、吸収体４０は、後胴回り域３０において、吸収体４０の他の部位よりも目付けが低い又は吸収性コア４０ａが存在しない低剛性領域２１０を有する。
【００７３】
また、低剛性領域２１０は、吸収体４０の製品長手方向Ｌにおける後胴回り域３０側の端部Ｅ９近傍まで延びるように形成されている。
【００７４】
製品幅方向Ｗにおける低剛性領域２１０の幅は、吸収体４０の製品長手方向Ｌにおける後胴回り域３０側の端部Ｅ９に向かうに連れて広くなっている。
【００７５】
より具体的には、低剛性領域２１０の形状は、使い捨ておむつ１０の平面視において、くさび状である。
【００７６】
さらに、吸収体４０は、製品幅方向Ｗにおける伸縮が他の領域よりも抑制された領域である伸縮抑制領域２２０を有する。
【００７７】
ここで、伸縮抑制領域２２０は、図１に示すように、低剛性領域２１０の製品幅方向Ｗの外側にそれぞれ形成されている。
【００７８】
また、伸縮抑制領域２２０と低剛性領域２１０との境界は、製品幅方向Ｗの中心に向けて凸となるような円弧で形成されている。また、低剛性領域２１０よりも製品幅方向Ｗの外側における吸収体４０は、後胴回り域３０側の端部Ｅ９に向けて凸となる台形形状である。
【００７９】
かかる構成によれば、着用補助者に対して、着用者の臀部の形状のイメージを抱かせることができる。
【００８０】
特に、使い捨ておむつ１０が、テープ型の使い捨ておむつ１０である場合には、着用者の身体の下に使い捨ておむつ１０を敷く際に、吸収性コア４０ａが上述の形状とされていること、或いは、後胴回り域３０のウェスト伸縮部１００が上述の形状とされていることで、着用補助者に対して、着用者の臀部を置くべき位置を想起させることができるため、より使い捨ておむつ１０を正しい位置に装着させることが可能となる。
【００８１】
なお、ウェスト伸縮部１００及び吸収体４０は、使い捨ておむつ１０の平面視において、少なくとも一部において重なるように構成されている。
【００８２】
具体的には、ウェスト伸縮部１００は、使い捨ておむつ１０の平面視において、低剛性領域２１０の少なくとも一部と重なるように構成されている。
【００８３】
なお、本実施形態では、ウェスト伸縮部１００は、低剛性領域２１０の一部と重なって配置されているが、低剛性領域２１０の全てと重なって配置されていてもよい。
【００８４】
このような低剛性領域２１０が形成されていることにより、ウェスト伸縮部１００の伸縮を阻害せず、ウェスト伸縮部１００が収縮しても、低剛性領域２１０が狭まり、低剛性領域２１０よりも製品幅方向Ｗの外側における吸収体４０同士の間隔が狭くなるため、吸収体４０が、意図しない形状で隆起し難くなる。
【００８５】
なお、低剛性領域２１０は、排泄液の漏れ防止を考慮すると、ウェスト伸縮部１００の幅より狭い幅を有することが好ましい。
【００８６】
また、吸収体４０が、ウェスト伸縮部１００によって製品幅方向Ｗに収縮させられて、低剛性領域２１０よりも製品幅方向Ｗの外側における吸収体４０同士の間隔が狭くなると、低剛性領域２１０において、後胴回り域３０側の端部Ｅ９寄りの部位が、股下域２５寄りの部位よりも大きく製品幅方向Ｗの中央に寄せられるため、後胴回り域３０側の端部Ｅ９寄りの部位と股下域２５寄りの部位とでは、製品幅方向Ｗにおける収縮量の差が発生し、後胴回り域３０が起立するようになる。
【００８７】
すなわち、使い捨ておむつ１０には、製品幅方向Ｗに伸縮可能なウェスト伸縮部１００及びくさび状の低剛性領域２１０が設けられているため、使い捨ておむつ１０の装着時に、非肌当接面側Ｓ１に使い捨ておむつ１０が膨らむカップ形状が形成され易い。
【００８８】
また、本実施形態では、低剛性領域２１０には、吸収性コア４０ａが存在せず、低剛性領域２１０と重なるように、ウェスト伸縮部１００が存在するため、低剛性領域２１０において、後胴回り域３０側の端部Ｅ９寄りの部位が、吸収性コア４０ａの端部位置よりも大きく製品幅方向Ｗ中央に寄せられ、後胴回り域３０の立ち上がりが、より顕著になるため、カップ形状をより安定して形成し得る。
【００８９】
本実施形態では、ウェスト伸縮部１００は、吸収性コア４０ａの製品幅方向Ｗにおける側縁を超えて存在するため、使い捨ておむつ１０をカップ形状に形成しつつ、製品長手方向Ｌにおける後胴回り域３０側の端部Ｅ９側寄りの位置の吸収性コア４０ａについては、着用者の身体に積極的に沿わせることができる。
【００９０】
さらには、ウェスト伸縮部１００及び低剛性領域２１０の少なくとも一部は、一対のファスニングテープ９０から製品幅方向Ｗに延びる領域に存在する。
【００９１】
よって、使い捨ておむつ１０を下に敷いて着用者を寝かせた状態で、使い捨ておむつ１０を着用者に装着する際でも、吸収性コア４０ａの製品幅方向Ｗにおける側縁を超えて存在するウェスト伸縮部１００が、着用者の身体の下に敷かれない。
【００９２】
したがって、一対のファスニングテープ９０を引っ張ることによってウェスト伸縮部１００の側縁が伸長し、カップ形状のウェスト側寄りの位置を、より確実に着用者の身体に沿わせることが容易となる。
【００９３】
本実施形態では、低剛性領域２１０よりも製品幅方向Ｗの外側における吸収性コア４０ａが、後胴回り域３０側に向かって凸形状である。このため、上述したように、非肌当接面側Ｓ１に使い捨ておむつ１０が膨らむカップ形状が形成され易くすることに加え、吸収性コア４０ａの表面面積が維持されるため、吸収性コア４０ａの端部からの排泄液の漏れを防止し得る。
【００９４】
本実施形態では、低剛性領域２１０は、使い捨ておむつ１０の平面視において、くさび状であり、吸収性コア４０ａと低剛性領域２１０との境界は、股下域２５に向けて凸となるような円弧によって形成されている。なお、かかる円弧の半径は、５０ｍｍ〜２００ｍｍである。
【００９５】
このため、（自然状態の）低剛性領域２１０の製品幅方向Ｗにおける長さ（幅）は、製品長手方向Ｌにおける後胴回り域３０側の端部Ｅ９に行くに連れて非線形に大きくなり、後胴回り域３０の立ち上がりが、より顕著になるため、カップ形状をより安定して形成し易い。
【００９６】
さらに、吸収性コア４０ａと低剛性領域２１０との境界が、股下域２５に向けて凸となるような円弧によって形成されるため、後胴回り域３０が、低剛性領域２１０の収縮によって丸みのあるカップ形状となり、着用者の丸みのある臀部に沿い易い形状となる。
【００９７】
また、低剛性領域２１０が形成されていることで、吸収体４０の後胴回り域３０側の端部Ｅ９には、左右それぞれに後回り域３０側に向かう凸形状が形成されている。かかる吸収体４０の形状は、着用者の臀部を乗せることを想起させるため、着用補助者は、使い捨ておむつ１０を、より着用者にとって正しい位置に合わせ易くなるという効果がある。
【００９８】
＜吸収体４０の曲げ剛性＞
本実施形態における曲げ剛性は、テーバー法（ＪＩＳＰ８１２５）に準拠した剛性値に基づいており、以下の方法によって測定される。
【００９９】
まず、使い捨ておむつ１０を展開状態にて、曲げ剛性の測定対象部分のサンプル（例えば、吸収体４０）を採取する。
【０１００】
サンプルは、曲げ剛性の測定対象部分について、７０ｍｍ（製品幅方向Ｗの長さ）×３８ｍｍ（製品長手方向Ｌの長さ）の寸法とする。サンプル中に、弾性部材が含まれる場合には、かかる弾性部材を取り除いておく。なお、剛性値の測定の試験器は、（株）安田精機製作所製のテーバースティフネステスターを使用する。また、サンプル数は、１０であり、各サンプルについて測定し、その平均値を剛性値とする。
【０１０１】
かかる測定の手順は、以下の（ａ）〜（ｅ）の通りである。
【０１０２】
（ａ）採取したサンプルの厚み（Ａ）を測定する。
【０１０３】
（ｂ）次いで、試験機のチャック（下側）の中心に触れる程度にサンプルを挟み込む。
【０１０４】
（ｃ）支持ローラとサンプルとの左右隙間の合計を（Ａ）×０.８０（ｍｍ）に調節する。
【０１０５】
（ｄ）指示荷重目盛が最大目盛りの１５〜８５％の範囲に入るように、補助おもりを適切に選択する。
【０１０６】
（ｅ）サンプルを左右両方向に回転させ、１５度支持刻線と振り子の中心刻とが一致した点で停止させ、試験機の目盛りを読み取る。目盛りの左側の数値を（Ｂ）とし、目盛りの右側の数値を（Ｃ）とする。
【０１０７】
剛性値は、以下の式によって求められる。
【０１０８】
式： 剛性値（ｍＮ・ｍ）＝(（（Ｂ）＋（Ｃ））/２)×（補助おもり係数）×９.８ 1×１０-2 
なお、試験片の幅が３８ｍｍを採取できない場合には、３８ｍｍ幅の曲げモーメントへ換算を行う。
【０１０９】
このように測定した剛性値が高いほど、曲げ剛性が高く、剛性値が低い程、曲げ剛性が低くなる。
【０１１０】
＜ファスニングテープ及びターゲット部の構成＞
ファスニングテープ９０は、後胴回り域３０に対応するサイドフラップ７０の領域に取り付けられている。
【０１１１】
具体的には、図１に示すように、ファスニングテープ９０は、サイドフラップ７０に連結された基材シート９１と、複数の係合部材としての係合フック（図示せず）が設けられ、基材シート９１に固定されたフックシート９２とを備える。
【０１１２】
フックシート９２は、係合部材が設けられた領域であり、上述の胴回り保持部は、フックシート９２から製品幅方向Ｗに延びる領域である。
【０１１３】
フックシート９２は、基材シート９１に固定（具体的には、接合）されている。
【０１１４】
かかるフックシート９２と基材シート９１との接合は、ファスニングテープ９０の剛性が必要以上に高くなることがないようされていることが好ましい。具体的には、フックシート９２及び基材シート９１とは、点状、線状或いはスパイラル状のような間欠的に塗布されたホットメルト接着剤によって接合されていることが好ましい。なお、フックシート９２及び基材シート９１は、熱シール等で接合されてもよい。  
基材シート９１は、１枚又は２枚以上の複数枚重ねた不織布によって構成されている。基材シート９１としては、ＳＢ（スパンボンド）又はＳＭＳ（スパンボンド-メルトブロン-スパンボンド）等の製法によって製造された不織布を用いることができる。基材シート９１を構成する不織布の目付け（複数枚の場合は、合計目付け）は、３０〜１２０ｇ/ｍ２であり、好ましくは４０〜９０ｇ/ｍ２である。
【０１１５】
ターゲット部９５は、前胴回り域２０のバックシート６０の非肌当接面に設けられている。ターゲット部９５は、ファスニングテープの係合フックが引っ掛かるように構成されており、フックとループの係止システムのループとして機能する。ターゲット部９５としては、例えば、エアスルー不織布を用いることができる。
【０１１６】
ターゲット部９５は、例えば、ポリオレフィン系の熱可塑性合成樹脂繊維から作られた繊維不織布又はポリオレフィン系の熱可塑性合成樹脂フィルムを用いることができる。また、ターゲット部９５に取り付けられたループは、ポリオレフィン系の熱可塑性合成樹脂によって形成できる。
【０１１７】
更に、ターゲット部９５として、嵩高の不織布であって、その一部をエンボスすることで不織布表面の毛羽立ちを防止した不織布を用いてもよい。
【０１１８】
また、使い捨ておむつ１０の防漏シート６１を不織布によって形成し、ファスニングテープ９０の取り付け位置を示す図柄をバックシート６０又は防漏シート６１の非肌当接面に印刷する、若しくは、かかる図柄のシートをバックシート６０又は防漏シート６１の非肌当接面側Ｓ１に配置することによってもターゲット部９５とすることができる。
【０１１９】
＜レッグ伸縮部７５＞
レッグ伸縮部７５は、吸収体４０よりも製品幅方向Ｗの外側に設けられた脚回り開口部３５に沿って配置され、製品長手方向Ｌに伸縮可能に構成されている。
【０１２０】
レッグ伸縮部７５は、股下域２５において製品幅方向Ｗにおける位置が最も内側に位置する幅方向内端領域７５Ｉを有している。
【０１２１】
脚回り開口部３５及びレッグ伸縮部７５は、特に、後胴回り域３０において、股下域２５から製品長手方向Ｌの外側に向かうにつれて製品幅方向Ｗの外側に向かって延びている。
【０１２２】
なお、レッグ伸縮部７５の幅方向内端領域７５Ｉは、製品長手方向Ｌに連続して配置されていてもよいし、製品長手方向Ｌに連続していなくてもよい。
【０１２３】
本実施形態では、脚回り開口部３５の製品幅方向Ｗにおける位置が股下域において最も内側に位置する領域は、レッグ伸縮部７５の幅方向内端領域７５Ｉと一致しているが、必ずしも一致していなくてもよい。
【０１２４】
本実施形態では、レッグ伸縮部７５は、伸縮性シートによって構成されている。例えば、かかる伸縮性シートとしては、ウレタンやスチレンのような熱可塑性エラストマ樹脂を溶融しフィルム状とした伸縮性フィルムや、伸縮繊維からなる伸縮性不織布や、伸縮性フィルムや伸縮性不織布に部分的に切断され又は脆弱化された非伸張性シートを張り合わせた複合シート等を用いることができる。
【０１２５】
また、かかる伸縮性シートの代わりに、ポリウレタン弾性繊維や天然ゴムからなる糸状・帯状の弾性部材を、１本又は複数本配置することによって、レッグ伸縮部７５を構成してもよい。
【０１２６】
或いは、例えば、レッグ伸縮部７５は、所定本数の弾性部材（例えば、３本の弾性部材）によって構成されていてもよい。
【０１２７】
レッグ伸縮部７５は、サイドフラップ７０とバックシート６０との間に配置されている。或いは、吸収体４０とバックシート６０との間に配置される防漏シート６１が備えられる領域では、レッグ伸縮部７５は、防漏シート６１とサイドフラップ７０との間に配置されている。
【０１２８】
具体的には、かかる伸縮性シート部材の幅（使い捨ておむつ１０の自然状態における製品幅方向Ｗにおける幅）は、少なくとも股下域２５において、５ｍｍ以上４５ｍｍ以下であることが好ましく、１２.５ｍｍ以上３５ｍｍ以下であることが好ましい
なお、かかる測定は、シンワ測定株式会社製スプリングメジャー（テープ部：ガラス繊維入り塩ビ被覆）を用いて、測定対象部位に沿わせるようにして行った（１０サンプル）。
【０１２９】
ここで、かかる伸縮性シート部材の幅が５ｍｍ未満では、実質的に面で着用者の脚回りに沿うことで、部分的に締め付ける力が集中せずに、弾性要素による着用者の肌への負荷を下げるという効果が発現せず、かかる伸縮性シート部材の幅が４５ｍｍを超えると、（自然状態の）使い捨ておむつ１０全体の製品幅方向Ｗの長さと比較して脚回り開口部３５に沿う領域が広くなり過ぎてしまい、伸縮性シートが着用者の身体側に巻き込んだり、めくれたりし易くなってしまう。
【０１３０】
レッグ伸縮部７５の伸縮率は、１.５〜２.２倍であることが好ましい。例えば、本実施形態では、レッグ伸縮部７５の伸縮率は、１.８〜２.０倍に設定されている。
【０１３１】
なお、伸縮率は、伸縮方向（本実施形態では、製品長手方向Ｌ）におけるレッグ伸縮部７５の伸縮の程度を意味し、以下のように規定される。
【０１３２】
伸縮率＝（最大伸張状態におけるレッグ伸縮部７５の伸縮方向における長さ）/（自然状態におけるレッグ伸縮部７５の伸縮方向における長さ）
なお、本明細書において、かかる伸縮率は、例えば、次のように測定されるものとする。
【０１３３】
第１に、使い捨ておむつ１０がパッケージ等に封入されている場合には、パッケージから使い捨ておむつ１０を取り出す。
【０１３４】
次いで、レッグ伸縮部７５の配置領域を切り出す。このとき、レッグ伸縮部７５に接合されるバックシート６０も含めて切り出す。切り出した後のレッグ伸縮部７５のサンプルの伸長率を測定して、レッグ伸縮部７５の伸長率を計測する。
【０１３５】
各サンプルについて、２０℃±２℃、相対湿度６０％±５％ＲＨの雰囲気下において６０分間放置し、伸縮方向に沿ってレッグ伸縮部７５の長さを測定する。この長さを、「自然状態のレッグ伸縮部７５の長さ」とする。
【０１３６】
第２に、かかる状態（すなわち、自然状態）における所望領域の伸縮方向における長さ、及び、自然状態から弾性部材による皺が目視にて確認できない状態まで延伸した時の所望領域の伸縮方向における長さを測定する。この長さを、「伸長状態におけるレッグ伸縮部７５の長さ」とする。
【０１３７】
これら測定結果を用い、上述の式にて算出することで伸長率が測定される。
【０１３８】
また、左右一対のレッグ伸縮部７５の製品幅方向Ｗにおける内側端の間隔は、股下域２５から前胴回り域２０に向かうに連れて広くなるとともに、股下域２５から後胴回り域３０に向かうに連れて広くなる。
【０１３９】
着用者の身体に使い捨ておむつ１０を装着する場合、股下部にて狭く前後の胴回りに向かって広がる形状にレッグ伸縮部７５を配置することで、よりレッグ伸縮部７５が、着用者の身体のラインに沿うことが可能となり、着用者の脚回りに好適にレッグ伸縮部７５が伸長された状態で配置されることとなる。
【０１４０】
さらに、左右一対のレッグ伸縮部７５の前胴回り域２０の端部における間隔（図中のＤ１）は、左右一対のレッグ伸縮部７５の後胴回り域３０の端部における間隔（図中のＤ２）よりも狭い。
【０１４１】
なお、これらの間隔は、使い捨ておむつ１０を自然状態から皺がない状態に製品長手方向Ｌ及び製品幅方向Ｗに拡幅して保持した後、左右一対のレッグ伸縮部７５の製品幅方向Ｗにおける内側端間の距離を測定したものである。
【０１４２】
着用者の身体の皮膚表面の伸びは、臀部において特に大きく、その幅方向外側寄りの位置にて顕著である。また、レッグ伸縮部７５は、着用者の身体に密着している。そこで、Ｄ２＞Ｄ１とすることで、使い捨ておむつ１０に着用者の動きが加わった場合でも、着用者の臀部側でのレッグ伸縮部７５が密着したまま伸びることができ、伸びの変化量が大きくてもレッグ伸縮部７５が突っ張ることがない。したがって、レッグ伸縮部７５による使い捨ておむつ１０のズレを抑制し得る。
【０１４３】
また、着用者の両脚の間隔は、股下部が最も狭く、股下部から腹側や背側に向かって広がる形状である。脚回り開口部３５及びレッグ伸縮部７５は、股下域２５から製品長手方向Ｌの外側及び製品幅方向Ｗの外側に向かって延びる形状であるため、着用者の脚回りに沿って脚回り開口部３５及びレッグ伸縮部７５を配置でき、局所的な応力集中を抑制できるため、比較的低い伸長率にて着用者に密着でき、肌への負担を減らすことが可能となる。
【０１４４】
レッグ伸縮部７５は、着用者の脚回りに沿って使い捨ておむつ１０を湾曲させて収縮するように構成されている。レッグ伸縮部７５の製品長手方向Ｌの端部は、製品幅方向Ｗに広がるように配置されており、胴回り保持部の近傍に配置される。よって、レッグ伸縮部７５の製品長手方向Ｌの端部は、胴回り保持部と共に製品幅方向Ｗに収縮するように作用する。
【０１４５】
＜クロッチ伸縮部２００ａ＞
次に、クロッチ伸縮部２００ａの形状について説明する。
【０１４６】
クロッチ伸縮部２００ａは、吸収体４０の他の部分よりも、使い捨ておむつ１０の着用者への装着時において、股下域２５の一部に平坦な形状を維持できるように構成されている。
【０１４７】
ここで、クロッチ伸縮部２００ａは、製品長手方向Ｌに伸縮可能であってもよいし、製品幅方向Ｗに伸縮可能であってもよいし、製品長手方向Ｌ及び製品幅方向Ｗの両方に伸縮可能であってもよい。
【０１４８】
例えば、クロッチ伸縮部２００ａは、レッグ伸縮部７５とは個別独立して設けられており、吸収性コア４０ａと重なる位置（本実施形態では、吸収性コア４０ａを包むコアラップ４０ｂとバックシート６０との間の位置）において、かかる位置における吸収性コア４０ａの製品幅方向Ｗの長さ（自然状態）の６０％以上を収縮させるように構成されている。
【０１４９】
このように、クロッチ伸縮部２００ａによって吸収性コア４０ａが配置された部分を収縮させることにより、吸収性コア４０ａが縮み、吸収性コア４０ａが縮まない部分と比較して平坦な形状を維持し易くなる。
【０１５０】
一方、クロッチ伸縮部２００ａよりも製品長手方向Ｌ外側に位置する前胴回り域２０や後胴回り域３０に位置する吸収性コア４０ａは、クロッチ伸縮部２００ａによって収縮していない。
【０１５１】
したがって、ファスニングテープ９０により、着用者の腰やウェスト周りに保持された状態において、使い捨ておむつ１０の股下域２５に平坦な形状で維持されるクロッチ伸縮部２００ａが過度に身体に密着することなく、結果、クロッチ伸縮部２００ａが適度に身体に沿って配置される。
【０１５２】
また、クロッチ伸縮部２００ａが、製品長手方向Ｌに沿って伸縮可能である場合、前胴回り域２０及び後胴回り域３０が、クロッチ伸縮部２００ａの収縮によって立ち上がり易くなり、着用時には、着用者の股下部にて身体に沿って平坦な股下域を形成することができる。
【０１５３】
その結果、クロッチ伸縮部２００ａから前胴回り域２０及び後胴回り域３０が立ち上がるので、使い捨ておむつ１０の着用者へのフィット性が向上する。
【０１５４】
すなわち、クロッチ伸縮部２００ａの収縮によって、使い捨ておむつ１０の股下域２５が、着用者の股下部に配置されるように、安定して使い捨ておむつ１０を装着することができる。
【０１５５】
また、上述のように、クロッチ伸縮部２００ａは、伸縮可能となるように構成されているので、使い捨ておむつ１０の股下域２５の一部が、収縮して使い捨ておむつ１０の着衣側（非肌当接面側Ｓ１）の表面に凹凸の皺が形成される。
【０１５６】
この結果、着用補助者に対して、視覚的かつ触感的に、本実施形態に係る使い捨ておむつ１０においてクロッチ部２００が明確に存在することを想起させることが可能となる。
【０１５７】
具体的には、クロッチ伸縮部２００ａは、使い捨ておむつ１０の製品幅方向Ｗの中心線Ｏを跨いで、少なくとも吸収体４０が配置されている領域と重なるように配置されている。
【０１５８】
例えば、クロッチ伸縮部２００ａは、吸収体４０（コアラップ４０ｂ）とバックシート６０ａとの間に備えられていてもよい。
【０１５９】
なお、クロッチ伸縮部２００ａは、伸縮性シートによって構成されていてもよい。
【０１６０】
伸縮性シートによってクロッチ伸縮部２００ａを構成することにより、伸縮性シートを配置した領域の吸収性コア４０ａが一様に縮められ、平坦な形状維持がより容易になる。なお、伸縮性シートは、例えば、レッグ伸縮部７５と同様の伸縮性シートによって構成することができる。
【０１６１】
例えば、かかる伸縮性シートとしては、ウレタンやスチレンのような熱可塑性エラストマ樹脂を溶融しフィルム状とした伸縮性フィルムや、伸縮繊維からなる伸縮性不織布や、伸縮性フィルムや伸縮性不織布に部分的に切断され又は脆弱化された非伸張性シートを張り合わせた複合シート等を用いることができる。
【０１６２】
また、かかる伸縮性シートの代わりに、ポリウレタン弾性繊維や天然ゴムからなる糸状・帯状の伸縮可能な弾性部材を、互いに並列に並べることによってクロッチ伸縮部２００ａを構成してもよい。
【０１６３】
かかる場合、吸収性コア４０ａの剛性及び使い捨ておむつ１０を構成する他の部材の剛性を考慮して、用いる弾性部材の太さや配置するピッチを適宜選択できるが、使い捨ておむつ１０本体を自然状態（非伸張状態）とした際に吸収性コア４０ａの製品幅方向Ｗにおける側縁部全域が収縮した状態となるようにすることが好ましい。
【０１６４】
また、クロッチ伸縮部２００ａによって吸収性コア４０ａを一様に縮めるためには、弾性部材同士の間隔を、７ｍｍ以下とすることが好ましく、５ｍｍ以下とすることがより好ましい。また、吸収性コア４０ａを一様に縮めるために、隣り合う弾性部材の間隔の差を、２ｍｍ以下とすることが望ましい。
【０１６５】
具体的には、クロッチ伸縮部２００ａの伸縮率は、１.２倍以上１.８倍以下であることが好ましい。例えば、本実施形態では、クロッチ伸縮部２００ａの伸縮率は、１.３倍に設定されている。
【０１６６】
伸縮率は、伸縮方向（本実施形態では、製品長手方向Ｌ）におけるクロッチ伸縮部２００ａの伸縮の程度を意味し、以下のように規定される。
【０１６７】
伸縮率＝（最大伸張状態におけるクロッチ伸縮部２００ａの伸縮方向における長さ）/（自然状態におけるクロッチ伸縮部２００ａの伸縮方向における長さ）
なお、本明細書において、かかる伸縮率は、例えば、次のように測定されるものとする。
【０１６８】
第１に、使い捨ておむつ１０がパッケージ等に封入されている場合には、パッケージから使い捨ておむつ１０を取り出し、その状態にて２０℃±２℃、相対湿度６０％±５％ＲＨの雰囲気下において６０分間放置し、伸縮方向に沿ってクロッチ伸縮部２００ａの長さを測定する。この長さを、「自然状態のクロッチ伸縮部２００ａの長さ」とする。
【０１６９】
第２に、かかる状態（すなわち、自然状態）における所望領域の伸縮方向における長さ、及び、自然状態から弾性部材による皺が目視にて確認できない状態まで延伸した時の所望領域の伸縮方向における長さを測定する。この長さを、「伸長状態におけるクロッチ伸縮部２００ａの長さ」とする。
【０１７０】
これら測定結果を用い、上述の式にて算出することで伸長率が測定される。
【０１７１】
このように、クロッチ伸縮部２００ａの伸縮率を、１.２倍以上１.８倍以下とすることによって、着用者の皮膚の伸縮に好適に追従することができる。
【０１７２】
例えば、着用者が、身体前側が縮むような前屈みの姿勢をとると、着用者の臀部側の皮膚において、身体を伸ばした状態に対して３０％程度伸びる部位が存在する。
【０１７３】
つまり、クロッチ伸縮部２００ａの伸縮率を１.２倍以下とすると、自然状態におけるクロッチ伸縮部２００ａの収縮が十分でなく、クロッチ伸縮部２００ａが設けられていない場合と比較して、使い捨ておむつ１０の股下域２５における吸収体配置領域の収縮が小さく、使い捨ておむつ１０の股下域２５が、着用者の股下部において身体に沿うように平坦な形状をとることが不十分になってしまい、使い捨ておむつ１０が、着用者の身体からズレ易くなってしまう。
【０１７４】
一方、クロッチ伸縮部２００ａの伸縮率を１.８倍よりも大きくすると、クロッチ伸縮部２００ａの収縮方向における収縮寸法が大きくなり過ぎるため、クロッチ伸縮部２００ａが存在する領域が、身体に沿うよりも密着する状態となり易く、使い捨ておむつ１０が、着用者の下方にズレ易くなってしまう。
【０１７５】
また、クロッチ伸縮部２００ａの製品長手方向Ｌにおける収縮量は、使い捨ておむつ１０の製品長手方向Ｌにおける長さの２〜８％となるように構成されていてもよい。
【０１７６】
なお、収縮量は、皺が十分に小さくなり、サンプルの表面が平滑に近くなるように伸長した状態での長さ「ｂ（ｍｍ）」と、サンプルの伸縮方向に沿う向きにおける自然状態での長さ「ａ（ｍｍ）」との差であり、（ｂ-ａ）によって算出されることができる。
【０１７７】
本発明者は、クロッチ伸縮部２００ａの製品長手方向Ｌにおける収縮量を、使い捨ておむつ１０の製品長手方向Ｌにおける長さの２〜８％とすると、使い捨ておむつ１０を着用者に対して装着する過程において、クロッチ伸縮部２００ａが、好ましく着用者の身体に沿い易くなることを確認することができた。
【０１７８】
ここで、クロッチ伸縮部２００ａの製品長手方向Ｌにおける収縮量を、８％より大きくすると、クロッチ伸縮部２００ａが、縮み過ぎてしまい、使い捨ておむつ１０の製品長手方向Ｌにおける長さが足りず、使い捨ておむつ１０を着用者の身体に付け難くなったり、使い捨ておむつ１０及び着用者の身体が、股下域２５において、過度に密着してズレ易くなったりしてしまう。
【０１７９】
一方、クロッチ伸縮部２００ａの製品長手方向Ｌにおける収縮量を、２％以下とすると、使い捨ておむつ１０を着用者の身体に近付けるというクロッチ伸縮部２００ａの効果そのものが発現し難くなってしまう。
【０１８０】
特に、クロッチ伸縮部２００ａは、幅入り率が１０％以下の伸縮性シート部材によって構成されていることが好ましい。
【０１８１】
なお、本明細書において、かかる幅入り率は、例えば、以下のように測定されるものとする。
【０１８２】
第１に、クロッチ伸縮部２００ａを使い捨ておむつ１０から取り外し、取り外したクロッチ伸縮部２００ａを２０℃±２℃、相対湿度６０％±５％ＲＨの雰囲気下に２４時間放置した後、クロッチ伸縮部２００ａの使い捨ておむつ１０への配置時における製品幅方向Ｗの中央に相当する位置の幅を自然状態におけるシート状弾性要素幅（ＷＡ）とする。
【０１８３】
第２に、取り外したウェスト伸縮部１００の全幅を、引っ張り試験機（島津製作所社製オートグラフ）の測定チャックに保持し、１００ｍｍ/分の速度にて、使い捨ておむつ１０への貼り付け時の幅まで伸張し、使い捨ておむつ１０への配置時におけるクロッチ伸縮部２００ａの製品幅方向Ｗの中央に相当する位置の幅（ＷＢ）を測定する。
【０１８４】
そして、測定した（ＷＡ）及び（ＷＢ）を用いて、以下の式により、幅入り率を算出する。
【０１８５】
幅入り率（％）＝（（ＷＡ）−（ＷＢ））/（ＷＡ））×１００
また、製品長手方向Ｌにおけるクロッチ伸縮部２００ａの中心Ｏ２は、製品長手方向Ｌにおける使い捨ておむつ１０の中心Ｏ１よりも、前胴回り域２０側に配置されている。また、クロッチ伸縮部２００ａは、製品長手方向Ｌにおける使い捨ておむつ１０の中心Ｏ１を跨ぐように配置されている。
【０１８６】
また、クロッチ伸縮部２００ａは、製品長手方向Ｌにおける使い捨ておむつ１０の中心Ｏ１を含む位置に形成される。
【０１８７】
また、後胴回り域３０の製品長手方向Ｌにおける長さ（自然状態）は、前胴回り域２０の製品長手方向Ｌにおける長さ（自然状態）よりも長くなるように構成されている。
【０１８８】
具体的には、後胴回り域３０の製品長手方向Ｌにおける長さ（自然状態）と前胴回り域２０の製品長手方向Ｌにおける長さ（自然状態）との比率は、１.１以上１.６以下となるように構成されていることが好ましく、１.２以上１.５以下となるように構成されていることがより好ましい。
【０１８９】
かかる比率が、１.６を超えると、使い捨ておむつ１０の腹側と背側のバランスが崩れ、股下域２５にクロッチ伸縮部２００ａを沿わせた場合に、前胴回り域２０が過度に密着してしまったり、後胴回り域３０が必要以上に覆われたりしてしまう。
【０１９０】
具体的には、着用者の身体は、一般的に、下腹部よりも臀部がより出っ張った状態となっているため、クロッチ伸縮部２００ａと着用者の股下部とを合わせた上で、上述の比率を上述の範囲とすることによって、複雑な着用者の身体の形状に対して使い捨ておむつ１０がより適した形状となる。
【０１９１】
つまり、寸法が足りない部分が生じることによる使い捨ておむつ１０の部分的な突っ張りや、寸法が余る部分が生じることによる使い捨ておむつ１０と身体との間の不要の隙間を防止できる。
【０１９２】
また、特に、歩行開始前或いは歩行を開始した頃に用いる乳幼児の場合、身体が腹側に向かって丸まった姿勢をとることが好ましいとされており、そのような姿勢では臀部側の皮膚が伸びた状態になり易く、上述の比率を上述の範囲とすることによって、このような姿勢を取りやすい乳幼児の身体に適した状態となる。
【０１９３】
一例を挙げると、使い捨ておむつ１０の製品長４００ｍｍ（製品長手方向Ｌにおける自然状態の長さ）に対して、前胴回り域２０が１３０ｍｍ（製品長手方向Ｌにおける自然状態の長さ）に設定され、クロッチ部２００が８０ｍｍ（製品長手方向Ｌにおける自然状態の長さ）に設定され、後胴回り域３０が１９０ｍｍ（製品長手方向Ｌにおける自然状態の長さ）に設定される。
【０１９４】
この場合、前胴回り域２０と後胴回り域３０との長さ（自然状態）の比率は、約１.４６である。このような比率とすることによって、クロッチ伸縮部２００ａのみならず、使い捨ておむつ１０の製品長手方向Ｌ全体をさらに着用者の身体に沿わせることができる。
【０１９５】
すなわち、かかる構成によれば、クロッチ伸縮部２００ａの前後方向位置が決まることで、着用者の身体に使い捨ておむつ１０が正しく適合して、使い捨ておむつ１０のデザインが連動できるようになるという本発明の狙いをより確実に実現することができる。
【０１９６】
クロッチ伸縮部２００ａが収縮した状態は、クロッチ伸縮部２００ａよりも前胴回り域２０側及び後胴回り域３０側の吸収体配置領域における非収縮状態と比べると異なった態様にあるため、着用者に使い捨ておむつ１０を着用させる場合には、クロッチ伸縮部２００ａを着用者の股下部に合わせて装着させることが容易となる。
【０１９７】
また、かかる配置によれば、クロッチ伸縮部２００ａが設けられている吸収性コア４０ａの部位が収縮した状態では、かかる部位の剛性又は厚みが、他の吸収性コア４０ａの部位の剛性又は厚みと異なるようになるため、着用補助者が、使い捨ておむつ１０の股下域２５において着用者の股下部と一致させる部位を認識し易くなる。
【０１９８】
更には、使い捨ておむつ１０の装着後には、クロッチ伸縮部２００ａは、着用者の股下部にて平坦な形状を維持し、使い捨ておむつ１０そのものが、三次元的な形状となり、使い捨ておむつ１０の股下域２５を着用者の股下部に沿わせることができるため、使い捨ておむつ１０の股下域２５と着用者の股下部とが一致して装着されることがより確実となる。
【０１９９】
さらに、図１に示すように、製品長手方向Ｌにおけるクロッチ伸縮部２００ａの中央位置Ｏ２における製品幅方向Ｗの長さＷ５（自然状態）は、製品長手方向Ｌにおけるクロッチ伸縮部２００ａの端部における製品幅方向Ｗの長さＷ６（自然状態）よりも短くなるように構成されていてもよい。
【０２００】
かかる構成によれば、クロッチ伸縮部２００ａの外観から見た形状が、例えば女性の下着の股下部のようにくびれた形状となっているため、着用補助者は、着用者に使い捨ておむつ１０を履かせる際に、クロッチ伸縮部２００ａが着用者の股下部に配置されるように装着し、さらに装着位置が正しいことを視覚的に確認することができる。
【０２０１】
更には、着用時にも、着用補助者に対して、使い捨ておむつ１０にクロッチ部２００があることを想起させ、より下着に近いイメージを与えることが可能となる。
【０２０２】
また、セカンドシート５１は、クロッチ伸縮部２００ａが配置されている領域に重なるように配置されている。
【０２０３】
かかる構成によれば、着用者の股下部において吸収性コア４０ａが垂れ下がる部位を設けず、その結果、クロッチ伸縮部２００ａと重なる領域のセカンドシート５１の排泄物Ａの拡散性を高めることができる。
【０２０４】
また、使い捨ておむつ１０の着用時に、セカンドシート５１は、クロッチ伸縮部２００ａと重なるため、かかる重複領域が収縮し、皺が発生しやすい。
【０２０５】
そこで、上述のように、セカンドシート５１を架橋セルロース繊維で構成することで、セカンドシート５１内の繊維同士の水素結合が通常のセルロース繊維を用いた場合に比べて少ない状態となり、それによりセカンドシート５１内の繊維の自由度を高めることができる。
【０２０６】
その結果、クロッチ伸縮部２００ａにより収縮した場合も、繊維の自由度を高めたことにより、皺の発生を抑制することできるため、上述の重複領域において皺の発生を抑制しながら繊維密度を高めることができる。
【０２０７】
すなわち、使い捨ておむつ１０の着用時において（特に、排泄前において）、排泄物の保持及び拡散に優位な状態を保つことができる。
【０２０８】
図１に示すように、吸収体４０の股下域２５には、切欠部１１０及び切欠部１２０が形成されている。切欠部１１０及び切欠部１２０は、吸収体４０を構成する吸収性コア４０ａが存在しない領域である。
【０２０９】
本実施形態において、切欠部１１０及び切欠部１２０は、吸収性コア４０ａの目付けが他の吸収性コア４０ａの部位よりも低い低剛性部に該当する。
【０２１０】
なお、切欠部１１０及び切欠部１２０を形成する代わりに、吸収性コア４０ａの目付を他の吸収性コア４０ａの部位よりもよりも低くなるようにしてもよい。
【０２１１】
図１に示すように、切欠部１１０及び切欠部１２０は、クロッチ伸縮部２００ａの製品長手方向Ｌにおける縁部に沿って形成されている。
【０２１２】
なお、切欠部１１０及び切欠部１２０が形成されている場合であっても、前胴回り域２０及び後胴回り域３０に位置する吸収性コア４０ａと、股下域２５に位置する吸収性コア４０ａとは、完全に切り離されることなく連続していることが好ましい、特に、製品幅方向Ｗにおいて連続していることが好ましい。
【０２１３】
切欠部１１０及び切欠部１２０は、製品幅方向Ｗの外側に行くに連れて、製品長手方向Ｌにおける長さ（自然状態）が長くなるように構成されている。
【０２１４】
このような形状により、吸収性コア４０ａの製品幅方向Ｗの外側が、より縮み易くなるため、使い捨ておむつ１０に、平坦な「底部」を形成することができる。
【０２１５】
また、切欠部１１０よりも前胴回り域２０側に位置する吸収性コア４０ａ及び切欠部１２０よりも後胴回り域３０側に位置する吸収性コア４０ａは、平坦な「底部」から立ち上がり、着用者の身体（腹部及び臀部）の丸みに沿うように湾曲し易くなるため、使い捨ておむつ１０そのものの形状が着用者の体の形により近づくことができる。
【０２１６】
図１に示すように、切欠部１１０の前胴回り域２０側の縁部及び切欠部１２０よりも後胴回り域３０側の縁部は、円弧状であってもよい。
【０２１７】
具体的には、切欠部１１０の前胴回り域２０側の縁部は、円弧の中心が、かかる縁部よりも後胴回り域３０側に位置するような形状であり、切欠部１２０の後胴回り域３０側の縁部は、円弧の中心が、かかる縁部よりも前胴回り域２０側に位置するような形状である。
【０２１８】
このような形状により、使い捨ておむつ１の着用者の身体の丸みに沿った変形が、より容易かつ顕著に起き易い。
【０２１９】
切欠部１１０の製品長手方向Ｌの前胴回り域２０側の縁部は、第１変曲部１１５を構成し、切欠部１２０の製品長手方向Ｌの後胴回り域３０側の縁部は、第２変曲部１２５を構成する。
【０２２０】
なお、第１変曲部１１５及び第２変曲部１２５は、製品幅方向Ｗに沿って延びており、使い捨ておむつ１０の曲げ基点となるように構成されている。
【０２２１】
ここで、切欠部１１０及び切欠部１２０は、第１変曲部１１５及び第２変曲部１２５をより良い状態にするために形成されている。
【０２２２】
この結果、クロッチ伸縮部２００ａは、胴回り保持部（すなわち、胴回り保持部を構成する前胴回り域２０、後胴回り域３０及びファスニングテープ９０）の動きに連動しないように構成されている。
【０２２３】
図１に示すように、本実施形態に係る使い捨ておむつ１０では、自然状態において、クロッチ伸縮部２００ａは、製品幅方向Ｗの中心線Ｏを跨いで左右対称であってもよいし、製品幅方向Ｗの中心線Ｏを境にして、クロッチ伸縮部２００ａの左右の幅の差が１０％以内とされていてもよい。
【０２２４】
本実施形態に係る使い捨ておむつ１０によれば、クロッチ伸縮部２００ａが、着用者の身体の中心を跨いで着用者の股下部に装着される状態とすることができる。
【０２２５】
また、本実施形態に係る使い捨ておむつ１０では、クロッチ伸縮部２００ａは、上述の胴回り保持部及び弾性部材７１と離間して設けられている。
【０２２６】
さらに、本実施形態に係る使い捨ておむつ１０では、クロッチ伸縮部２００ａの製品長手方向Ｌの前胴回り域２０側及び後胴回り域３０側に、非伸縮領域が設けられている。
【０２２７】
また、本実施形態に係る使い捨ておむつ１０では、図１に示すように、吸収性コア４０ａの製品幅方向Ｗの長さは、前胴回り域２０から股下域２５に向かって短くなり、後胴回り域３０から股下域２５に向かって短くなるように構成されている。
【０２２８】
ここで、クロッチ伸縮部２００ａは、吸収性コア４０ａの製品幅方向Ｗの長さが所定長よりも短くなっている領域に設けられている。
【０２２９】
例えば、所定長は、前胴回り域２０や後胴回り域３０の製品幅方向の長さが長い領域における吸収性コア４０ａの製品幅方向Ｗの長さである。
【０２３０】
吸収性コア４０ａの製品幅方向Ｗの長さが所定長よりも短くなっている領域と前胴回り域２０及び後胴回り域３０の製品幅方向Ｗの長さが所定長よりも長くなっている領域とでは、製品長さ方向Ｌの単位長さ当たり（例えば、１０ｍｍ当たり）の吸収容量が異なり、かかる所定長よりも短くなっている領域の方が吸収容量が小さい。
【０２３１】
図３（ａ）及び図３（ｂ）に示すように、使い捨ておむつ１０が、着用者に装着された場合、クロッチ伸縮部２００ａによって、着用者の股下部において、平坦な「底部」が形成されることになり、使い捨ておむつ１０が、着用者との間で適度な空間を保持することができ、排泄物Ａを吸収した後も、着用者の股下部において垂れ下がることはない。
【０２３２】
そのため、セカンドシート５１が、折れ曲がってしまうという事態も発生せず、かかるセカンドシート５１において、着用者の排泄口から排泄される排泄液Ａを適切に取り込み保持することができる。
【０２３３】
更には、平坦な「底部」が形成されることで、使い捨ておむつ１０が垂れ下がる場合に比べて、セカンドシート５１内に取り込まれた排泄物Ａの拡散が、重力の影響を受けにくくなるため、排泄物Ａの拡散が好適に行われる。
【０２３４】
また、使い捨ておむつ１０が、着用者の身体に沿って装着されるため、セカンドシート５１を含めて吸収体４０ごと着用者の身体に密着しておらず、セカンドシート５１が密着による加圧を受けることもないため、セカンドシート５１における排泄物Ａの取り込み速度も好適とされる。
【０２３５】
つまり、セカンドシート５１の有する機能である排泄物Ａの保持や拡散や取り込みについて本来の性能を発揮できる状態となる。
【０２３６】
したがって、本実施形態に係る使い捨ておむつ１０によれば、多量の排泄液Ａが、着用者と使い捨ておむつ１０との間の空間に存在し、着用者の動きに応じて、使い捨ておむつ１０の外に漏れてしまうという状態も生じ難くなる。
【０２３７】
なお、図１に示すように、クロッチ伸縮部２００ａは、胴回り保持部１５０と交差することなく胴回り保持部１５０から独立して備えられている。
【０２３８】
クロッチ伸縮部２００ａの製品幅方向Ｗにおける長さは、クロッチ伸縮部２００ａが存在する領域内の吸収性コア４０ａの製品幅方向Ｗにおける長さの１/２以上である。
【０２３９】
したがって、クロッチ伸縮部２００ａによって吸収性コア４０ａが配置された部位の一定幅以上を収縮させることによって、吸収性コア４０ａが縮み、着用者の身体に近づくように吸収性コア４０ａが持ち上がる。
【０２４０】
このような吸収性コア４０ａの持ち上がりを股下域２５で実現することによって、使い捨ておむつ１０と着用者との間の隙間を減少することができる。
【０２４１】
クロッチ伸縮部２００の製品幅方向Ｗにおける長さが、クロッチ伸縮部２００ａが存在する領域内の吸収体４０（吸収性コア４０ａ）の製品幅方向Ｗにおける長さの６０％以上である場合、より好ましくは、８０％以上である場合には、使い捨ておむつ１０と着用者との間の隙間をさらに減少することができる。
【０２４２】
さらには、クロッチ伸縮部２００ａの製品幅方向Ｗにおける長さが、吸収性コア４０ａの製品幅方向Ｗにおける長さと比較して狭すぎると、上述した吸収性コア４０ａを持ち上げる効果が得られにくい。
【０２４３】
一方、クロッチ伸縮部２００ａの製品幅方向Ｗにおける長さが、吸収性コア４０ａの製品幅方向Ｗにおける長さと比較して広すぎると、吸収性コア４０ａが配置されていない部位が、吸収性コア４０ａが配置されている部位よりも収縮した状態で、使い捨ておむつ１０が装着される。
【０２４４】
これによって、吸収性コア４０ａが配置されていない部位を構成する部材が重なりあって、クロッチ伸縮部２００ａが硬くなり、使い捨ておむつ１０の履き心地が損なわれる。
【０２４５】
例えば、クロッチ伸縮部２００ａが存在する領域内の吸収性コア４０ａの最も製品幅方向Ｗにおける長さが狭い部位の寸法（伸長状態における）が、１２０ｍｍである場合において、クロッチ伸縮部２００ａの製品幅方向Ｗにおける長さは、６０〜１１０ｍｍであることが好ましく、９０〜１１０ｍｍであることがより好ましい。
【０２４６】
吸収性コア４０ａの製品幅方向Ｗにおける長さが最も狭い部位は、製品長手方向Ｌの中心線に対して１０〜６０ｍｍ前側に設けられることが好ましい。
【０２４７】
好ましくは、吸収性コア４０ａの製品幅方向Ｗにおける長さが最も狭い部位は、製品長手方向Ｌの中心線に対して２０〜４０ｍｍ前側に設けられる。
【０２４８】
クロッチ伸縮部２００ａは、吸収性コア４０ａの製品幅方向Ｗにおける長さが最も狭い部位を跨がって形成されることが好ましい。
【０２４９】
着用者の左右の大腿部が互いに最も近接する位置は、着用者の身体の前後方向における中心よりも前側である。従って、クロッチ伸縮部２００ａの収縮力によって、吸収性コア４０ａの製品幅方向Ｗにおける長さが最も狭い部位を着用者の左右の大腿部が互いに最も近接する位置に積極的に配置することができる。言い換えると、母親等の着用補助者が吸収性コア４０ａの位置合わせを行わなくても、吸収性コア４０ａの位置合わせが自然と行われる。
【０２５０】
なお、吸収性コア４０ａ中に含まれる繊維の比率（重量）は、２０％以下であることが好ましく、１０％以下とであることがより好ましい。
【０２５１】
吸収性コア４０ａ中の高吸収ポリマー比率を高める場合（８０％以上とする場合）、吸収ポリマーの液取り込み速度が、セカンドシート５１への排泄物の取り込み速度よりも低いため、漏れを防止するには、セカンドシート５１及びクロッチ伸縮部２００ａの配置により、排泄物の液取り込み速度や拡散性を高めつつ、使い捨ておむつ１０を着用者の身体に密着させず沿わせることで排泄物の保持空間を確保することで、より薄く、柔軟性の高く、漏れにくい使い捨ておむつ１０を実現することができる。
【０２５２】
（変更例）
上述の第１の実施形態の場合のように、少なくとも製品長手方向Ｌに伸縮可能となるように構成されているクロッチ伸縮部２００ａの代わりに、製品長手方向Ｌにおける縁部にダーツ部が形成されているクロッチ部が用いられてもよい。
【０２５３】
かかるダーツ部は、クロッチ部を平坦な「底部」とするために、バックシート６０の一部を摘むように構成されている。
【０２５４】
或いは、クロッチ伸縮部２００ａは、上述の第１の実施形態の場合のように、少なくとも製品長手方向Ｌに伸縮可能となるように構成されているクロッチ伸縮部２００ａの代わりに、補強シートによって構成されているクロッチ部が用いられてもよい。
【０２５５】
また、セカンドシート５１は、製品長手方向Ｌにおいて、クロッチ伸縮部２００ａの製品長手方向Ｌの端部を超えて延びるように構成されていてもよい。
【０２５６】
かかる構成によれば、クロッチ伸縮部２００ａにより形成される第１変曲部１１５及び第２変曲部１２５の変曲状態を、外観においてより丸みのあるなだらかな状態とすることができる。その結果、着用者に第１変曲部１１５及び第２変曲部１２５による違和感を与えない。
【０２５７】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【０２５８】
１０…使い捨ておむつ
２０…前胴回り域
２５…股下域
３０…後胴回り域
３５…脚回り開口部
４０…吸収体
４０ａ…吸収性コア
４０ｂ…コアラップ
５０…トップシート
５１…セカンドシート
６０…バックシート
６１…防漏シート
７０…サイドフラップ
７５…レッグ伸縮部
８０…レッグサイドギャザー
８１…接合部分
８２…自由端部分
８３…レッグサイドギャザー用弾性部材
９０…ファスニングテープ
９０ａ…ターゲットテープ
１００…ウェスト伸縮部
２００…クロッチ部
２００ａ…クロッチ伸縮部
【図１】
0005588498.tif 000002
【図２】
0005588498.tif 000003
【図３】
0005588498.tif 000004
【図４】
0005588498.tif 000005